(57)【要約】【課題】  複数が並列に配置されたサッシのレールおよび溝に、固化してこびり付いた塵や埃なども容易に取り除くことが可能な清掃具を提供する。【解決手段】  清掃ヘッド２の表面２ａに設けられてサッシｓなどのレールｒおよび溝ｍを清掃する複数の清掃体３と、清掃ヘッド２の裏面２ｂに着脱自在に設けられた把持部６とを備えた清掃具１において、清掃ヘッド２は、表裏面２ａ、２ｂに貫通する孔部１０を有し、複数の清掃体３は、吸水性を有する板状弾性部材が面外方向にＵ字状に折曲されているとともに、互いの外面を当接させて並列に配設され、かつ各々の基端部が清掃ヘッド２の表面２ａに取り付けられ、把持部６は、有底円筒状に形成されているとともに、その開口部６ａの内部が孔部１０に連通するように裏面２ｂに取り付けられ、把持部６内に液体を充填することにより、当該液体が開口部６ａから孔部１０を介して清掃体３に浸透する。【選択図】図１
2014079404.tif 000002
【特許請求の範囲】
【請求項１】
清掃ヘッドの表面に設けられてサッシなどのレールおよび溝を清掃する複数の清掃体と、上記清掃ヘッドの裏面に着脱自在に設けられた把持部とを備えた清掃具において、
上記清掃ヘッドは、上記表裏面に貫通する孔部を有し、
上記複数の清掃体は、各々吸水性を有する板状弾性部材が面外方向にＵ字状に折曲されているとともに、互いの外面を当接させて並列に配設され、かつ各々の基端部が上記清掃ヘッドの表面に取り付けられ、
上記把持部は、有底円筒状に形成されているとともに、その開口部の内部が上記孔部に連通するように上記裏面に取り付けられ、上記把持部内に液体を充填することにより、当該液体が上記孔部を介して上記清掃体に浸透することを特徴とする清掃具。
【請求項２】
上記清掃ヘッドの上記孔部と上記把持の上記開口部の内部との間に、当該把持部に充填された液体の上記清掃体への流出を制限する制御部材が設けられてることを特徴とする請求項１に記載の清掃具。
【請求項３】
上記清掃ヘッドには、当該清掃ヘッド側から上記清掃体側に突出可能なヘラ部材が回動自在に収納されていることを特徴とする請求項１または２に記載の清掃具。
【請求項４】
上記清掃ヘッドは、内部が上記孔部に連通された接続部材が上記裏面に設けられているとともに、当該接続部材の先端部に上記把持部の開口部が螺合されていることを特徴とする請求項１〜３のいずれかに記載の清掃具。
【請求項５】
上記清掃体は、スポンジとブラシ部材の組み合わせにより形成されていることを特徴とする請求項１〜４のいずれかに記載の清掃具。
【発明の詳細な説明】
【技術分野】
【０００１】
本発明は、サッシのレールおよび溝を清掃するための清掃具に関するものである。
【背景技術】
【０００２】
一般に、サッシのレールおよび溝は、建物の窓枠に一体的に設けられ、ガラス窓の天地が各々当該レールに摺動可能に嵌め込まれて、当該ガラス窓を開閉可能にしている。このサッシのレールおよび溝は、塵や埃などが溜まりやすく、また雨などで塵や埃が水分を吸収して粘土質になるとともに、乾燥することにより固化して、レールや溝の内部にこびり付いてしまう。
【０００３】
このサッシのレールおよび溝は、溜まったいる塵や埃を箒や雑巾などを用いて取り除くことができるが、固化してこびり付いた塵や埃は、容易に取り除くことができない。また、複数本あるレールおよび溝を一列ごと清掃することになり、多数の窓がある建屋では、手間が掛かってしまう。
【０００４】
そこで、サッシのレールおよび溝を清掃する清掃具としては、例えば、下記特許文献１において、ハンドルを兼ねる払拭体ホルダ−と、このホルダーに保持されて該ホルダーから前方に向けて延出し、互いに重なり合いかつ弾力的に開閉自在の複数の払拭体とからなり、上記払拭体は、弾性変形可能な補強用心材の回りを柔軟な布部材で覆った構造をしていて、互いの重合面および非重合面をそれぞれ払拭作業面とし、相互間にサッシのレール部分を挟持可能であるとともに、相互に重合した状態でサッシの溝内に挿入可能な厚さを有し、上記重合面および非重合面からなる払拭作業面を使い分けることによって上記サッシのレール部分と溝部分とを清掃可能なサッシ用クリーナーが提案されている。
【０００５】
この従来のサッシ用クリーナーは、重なり合う上記払拭体の間に、サッシのレール部分を弾力的に挟持して擦ることにより、当該レール部分を清掃することができる。また、複数の上記払拭体を相互に重合した状態で、サッシの溝内に挿入して擦ることにより、複数本ある当該溝を同時に清掃することができる。
【０００６】
しかしながら、サッシのレールや溝は雨や風の影響を受けやすく、塵や埃などが溜まりやすく、また溜まった塵や埃が雨により水分を含み粘土質になり、それが乾燥することにより固化して、レールや溝にこびり付いてしまうため、上記従来のサッシ用クリーナーでは、上手く取り除くことができないという問題がある。
【０００７】
また、特に溝の角隅部に固化してこびり付いた塵や埃は、上記従来のサッシ用クリーナーの上記払拭体で擦ったとしても、当該払拭体が固化してこびり付いた塵や埃上面を舐める程度になってしまい、綺麗に取り除くことが難しいという問題もある。
【先行技術文献】
【特許文献】
【０００８】
【特許文献１】特開２００５−７４１１１号公報
【発明の概要】
【発明が解決しようとする課題】
【０００９】
本発明は、かかる事情に鑑みてなされたもので、複数が並列に配置されたサッシのレールおよび溝に、固化してこびり付いた塵や埃なども容易に取り除くことが可能な清掃具を提供することを課題とするものである。
【課題を解決するための手段】
【００１０】
上記課題を解決するために、請求項１に記載の発明は、清掃ヘッドの表面に設けられてサッシなどのレールおよび溝を清掃する複数の清掃体と、上記清掃ヘッドの裏面に着脱自在に設けられた把持部とを備えた清掃具において、上記清掃ヘッドは、上記表裏面に貫通する孔部を有し、上記複数の清掃体は、各々吸水性を有する板状弾性部材が面外方向にＵ字状に折曲されているとともに、互いの外面を当接させて並列に配設され、かつ各々の基端部が上記清掃ヘッドの表面に取り付けられ、上記把持部は、有底円筒状に形成されているとともに、その開口部の内部が上記孔部に連通するように上記裏面に取り付けられ、上記把持部内に液体を充填することにより、当該液体が上記孔部を介して上記清掃体に浸透することを特徴とするものである。
【００１１】
また、請求項２に記載の発明は、請求項１に記載の発明において、上記清掃ヘッドの上記孔部と上記把持の上記開口部の内部との間に、当該把持部に充填された液体の上記清掃体への流出を制限する制御部材が設けられてることを特徴とするものである。
【００１２】
そして、請求項３に記載の発明は、請求項１または２に記載の発明において、上記清掃ヘッドには、当該清掃ヘッド側から上記清掃体側に突出可能なヘラ部材が回動自在に収納されていることを特徴とするものである。
【００１３】
さらに、請求項４に記載の発明は、請求項１〜３のいずれかに記載の発明において、上記清掃ヘッドは、内部が上記孔部に連通された接続部材が上記裏面に設けられているとともに、当該接続部材の先端部に上記把持部の開口部が螺合されていることを特徴とするものである。
【００１４】
また、請求項５に記載の発明は、請求項１〜４のいずれかに記載の発明において、上記清掃体は、スポンジとブラシ部材の組み合わせにより形成されていることを特徴とするものである。
【発明の効果】
【００１５】
請求項１〜５に記載の本発明によれば、清掃ヘッドが表裏面に貫通する孔部を有しているとともに、複数の清掃体が各々吸水性を有する板状弾性部材を面外方向にＵ字状に折曲させ、かつ互いの外面を当接させて並列に配設して、各々の基端部を上記清掃ヘッドの表面に取り付けているとともに、把持部が有底円筒状に形成され、かつその開口部の内部を上記孔部に連通するように上記裏面に取り付けているため、上記把持部に液体を充填して、当該液体を上記開口部から上記孔部を介して、上記清掃体に浸透させることにより、サッシのレールおよび溝に固化してこびり付いた塵や埃を液化させて、上記清掃体により取り除くことができる。これにより、汚れやすいサッシのレールおよび溝を簡便に清掃することができる。
【００１６】
また、各々吸水性を有する板状弾性部材を面外方向にＵ字状に折曲させた上記複数の清掃体を互いの外面が当接するように並列に配設し、かつ各々の基端部を上記清掃ヘッドの表面に取り付けているため、上記複数の清掃体の隣接面間に、サッシのレールを挿入することにより、当該複数の清掃体が弾性変形して、当該レールを確実に挟持することができるとともに、当該複数の清掃体の先端が上記サッシの溝に当接させることができる。この結果、上記サッシのレールおよび溝に沿って、上記清掃体を擦ることにより、上記サッシのレールおよび溝を同時に清掃することができる。
【００１７】
請求項２に記載の本発明によれば、上記清掃ヘッドの孔部と上記把持部の上記開口部の内部との間に、当該把持部に充填された液体の流出を制限する制御部材が設けられているため、上記把持部内に充填された液体が上記清掃体に浸透する際に、大量の当該液体が上記清掃体側に流出してしまうことを防ぐことができる。これにより、汚れの程度に応じて、適当な水分量で清掃することができる。
【００１８】
請求項３に記載の本発明によれば、上記清掃ヘッドに、当該清掃ヘッド側から上記清掃体側に突出可能なヘラ部材が回動自在に収納されているため、上記サッシの溝の角隅部に固化してこびり付いた塵や埃を除去することができるとともに、上記清掃体での清掃の際に邪魔にならない。これにより、上記清掃体では除去しづらい上記溝の角隅部も簡便に清掃することができる。
【００１９】
請求項４に記載の本発明によれば、上記清掃ヘッドに、内部が上記孔部に連通された接続部材が上記裏面に設けられているとともに、当該接続部材の先端部に、上記把持部の開口部が螺合されているため、上記把持部を上記清掃ヘッドに対して傾斜して取り付けることができるとともに、当該接続部材内に上記把持部内に充填した液体を一旦貯留することにより、上記清掃体への当該液体の浸透を抑制することができ、さらに、当該把持部内に上記液体を充填しても、上記接続部材と上記把持部との接続部分での当該液体の漏れを確実に防ぐことができる。
【００２０】
請求項５に記載の本発明によれば、上記清掃体が、スポンジとブラシ部材の組み合わせにより形成されているため、当該清掃体によって上記レールおよび溝を擦ることにより、こびり付いた塵や埃を当該ブラシ部材で掻き取り、掻き取った塵や埃をスポンジで拭い取ることができ、さらに容易に汚れを落とすことができる。
【図面の簡単な説明】
【００２１】
【図１】本発明の清掃具の一実施形態を示す右側面図である。
【図２】本発明の清掃具の一実施形態を示す正面図である。
【図３】図１の一部を断面にした部分断面図である。
【図４】本発明の清掃ヘッドを示し、（ａ）平面図、（ｂ）は右側面図、（ｃ）は底面図、（ｄ）は正面図、（ｅ）は背面図である。
【図５】図４（ｄ）のＡ−Ａ断面図である。
【図６】本発明の清掃ヘッドに清掃体を取り付ける支持部材を示し、（ａ）は平面図、（ｂ）は右側面図、（ｃ）は底面図、（ｄ）は正面図である。
【図７】本発明の清掃ヘッドの取付部に取り付ける清掃体を示し、（ａ）は清掃体を展開した平面図、（ｂ）は（ａ）の側面図、（ｃ）は（ａ）の破線部分で折り重ねた状態の側面図、（ｄ）は（ｃ）の正面図である。
【図８】本発明の清掃ヘッドの接続部材に取り付けるヘラ部材を示し、（ａ）は平面図、（ｂ）は右側面図、（ｃ）は底面図、（ｄ）は正面図、（ｅ）は（ｂ）のＡ−Ａ断面図である。
【図９】本発明の清掃ヘッドの接続部材に螺合させる把持部を示し、（ａ）は平面図、（ｂ）は右側面図、（ｃ）は底面図、（ｄ）は正面図である。
【図１０】本発明の清掃ヘッドの取付部と把持部の開口部との間に設けられる制御部材を示し、（ａ）は平面図、（ｂ）は側面図である。
【発明を実施するための形態】
【００２２】
図１〜図３に示すように、本発明の一実施形態の清掃具１は、サッシｓなどのレールｒおよび溝ｍを清掃する清掃体３と、この清掃体３が表面２ａに設けられた清掃ヘッド２と、この清掃ヘッド２の裏面２ｂに接続部材５を介して着脱自在に設けられた把持部６とを備えて概略構成されている。
【００２３】
ここで、清掃ヘッド２は、図４および図５に示すように、平面視において長方形に形成された取付部４が設けられている。この取付部４は、表面２ａ側に全面が開口された取付凹部４ａが形成されている。この取付凹部４ａは、短手方向の対向する壁面の各々に、角状の係止孔部４ｂが穿設されている。この係止孔部４ｂは、各々の当該壁面の長手方向に間隔をおいて２箇所穿設されている。
【００２４】
そして、清掃ヘッド２の裏面２ｂ側に、接続部材５が設けられている。この接続部材５は、円筒状に形成されているとともに、裏面２ｂに対して約３０°傾斜して一体に形成されている。また、接続部材５の先端部５ａ側の内周面には、雌ネジ５ｂが螺設されているとともに、当該先端部５ａ側が基端部５ｃ側よりも外径寸法が大きく形成されている。
【００２５】
さらに、接続部材５の内部には、先端部５ａと基端部５ｃとの間に、仕切り板５ｅが内設されている。この仕切り板５ｅは、中心部に貫通孔が形成されている。また、この仕切り板５ｅの先端部５ａ側には、図３に示すように、制御部材９が配設されている。この制御部材９は、図１０に示すように、軟質材、例えば、シリコーン樹脂からなり、円盤状に形成されている。そして、制御部材９の中心部には、十字状の切込９ａが形成されている。
【００２６】
また、接続部材５の基端部５ｃ側に、ヘラ部材７を収納する溝部５ｄが形成されている。この溝部５ｄは、取付部４の先端部４ｃから接続部材５の外周の軸線方向に沿って形成されているとともに、取付部４の先端部４ｃ側の両側面に突起部４ｄが対向配置されている。
【００２７】
そして、ヘラ部材７は、図８に示すように、細長の板状に形成されている。このヘラ部材７の基端部７ａに、当該ヘラ部材７が収納される溝部５ｄの突起部４ｄに係合される係止凹部７ｃが形成されている。この係止凹部７ｃは、ヘラ部材７の短手方向に延設されているとともに、内周面が円弧状に形成されている。この係止凹部７ｃが、溝部５ｄの突起部４ｄに係合されて、ヘラ部材７が清掃ヘッド２に回動自在に設けられている。
【００２８】
さらに、ヘラ部材７の先端部７ｂは、先端に向かって厚さ寸法が薄くなるように漸次傾斜し、側面視においてテーパ状に形成されている。また、ヘラ部材７の基端部７ａを支点に回動させて、清掃ヘッド２から突出させた際の上面の中央部に、当該上面の長手方向に間隔をおいて複数（図では３つ）の突起が形成されている。
【００２９】
また、接続部材５の先端部５ａ側には、把持部６が着脱自在に設けられている。この把持部６は、図９に示すように、有底円筒状に形成されているとともに、開口部６ａ側の外周面に雄ネジ６ｂが螺設されている。この雄ネジ６ｂは、接続部材５の先端部５ａ側の内周面に螺設された雌ネジ５ｂに螺合されている。そして、把持部６の底部６ｄ側には、当該把持部６の外周面から突出した吊下げ部６ｃが一体に設けられている。この吊下げ部６ｃは、平板状に形成されているとともに、貫通孔６ｅが穿設されている。
【００３０】
そして、取付部４の表面２ａ側の取付凹部４ａに、支持部材８が挿入されている。この支持部材８は、図６に示すように、長方形の天板部８ａと、この天板部８ａの短手方向の端部に側壁部８ｂとにより構成され、正面視において門型状に形成されている。
【００３１】
さらに、支持部材８の天板部８ａの中央には、孔部１０が穿設されている。この孔部１０は、短手方向に等間隔に複数（図では３箇所）穿設されている。なお、この孔部１０によって、支持部材８を取付部４の取付凹部４ａに挿入した際に、取付部４の表裏面２ａ、２ｂを貫通することになる。
【００３２】
また、支持部材８の側壁部８ｂの外面には、取付部４の取付凹部４ａの壁面に穿設された係止孔部４ｂに係合される係止突起８ｄが形成されている。この係止突起８ｄは、側壁部８ｂの長手方向に間隔を置いて２箇所形成され、支持部材８を取付部４の取付凹部４ａに挿入した際に、係止孔部４ｂに係合される。
【００３３】
さらに、支持部材８の各々の側壁部８ｂには、清掃体３を取り付けるための取付孔８ｃが穿設されている。この取付孔８ｃは、側壁部８ｂの長手方向に間隔を置いて２箇所穿設されている。
【００３４】
また、支持部材８の側壁部８ｂ間には、清掃体３が配設されている。この清掃体３は、図７（ａ）および（ｂ）に示すように、板状に形成されているとともに、平面視においてホームベース状に形成されている。また、清掃体３は、吸水性を有する板状弾性部材であるスポンジ３ｃとブラシ部材３ｄの組み合わせにより形成されているとともに、破線部３ｂを間に対向する端部側に、各々孔部３ａが穿設されている。
【００３５】
そして、清掃体３は、図７（ｃ）および（ｄ）に示すように、破線部３ｂを境に面外方向にＵ字状に折曲されているとともに、図２に示すように、複数（図では３つ）の清掃体３を互いの外面を当接させて、支持部材８の側壁部８ｂ間に並列に配設されている。
【００３６】
さらに、支持部材８の側壁部８ｂに穿設された取付孔８ｃと、清掃体３の基端部の各々の孔部３ａにピン１１が挿通されて、当該支持部材８が清掃ヘッド２の取付部４の取付凹部４ａに挿入されて、当該取付部４に清掃体３が固着されている。
【００３７】
以上の構成による清掃具１を用いて、サッシｓのレールｒおよび溝ｍを清掃するには、まず、図１に示す清掃具１の清掃ヘッド２から把持部６を取り外す。この際、把持部６は、清掃ヘッド２の裏面２ｂに一体に設けられた接続部材５の先端部５ａ側に螺合されているため、把持部６を軸線回りに回転させて取り外す。
【００３８】
そして、取り外した把持部６に水を充填する。なお、サッシｓのレールｒおよび溝ｍの汚れが酷い場合には、液体洗剤などを充填する。そして、把持部６の開口部６ａの外周面に螺設された雄ネジ６ｂを接続部材５の先端部５ａの内周面に螺設された雌ネジ５ｂに螺合させて、把持部６を清掃ヘッド２に取り付ける。
【００３９】
次いで、図２に示すように、清掃ヘッド２の表面２ａ側の取付部４に並列に配設された清掃体３の隣接面間にレールｒを挿入するとともに、溝ｍの底面に清掃体３の先端を当接させる。その際、清掃体３は、把持部６に充填された水または液体洗剤が、当該把持部６の開口部６ａより接続部材５を介して支持部材８の孔部１０から清掃体３に浸透される。
【００４０】
なお、接続部材５内の先端部５ａと基端部５ｃとの仕切り板５ｅの当該先端部５ａ側に設けられた制御部材９により、上記水または液体洗剤の流量が制限されるため、スポンジ３ｃとブラシ部材３ｄの組み合わせにより形成された吸水性を有する板状弾性部材を面外方向にＵ字状に折曲された清掃体３に、上記水または液体洗剤が適量浸透される。
【００４１】
そして、清掃体３に上記水または液体洗剤が浸透した状態で、清掃具１をレールｒおよび溝ｍに沿って移動させる。これにより、レールｒの両側面および溝ｍの底面に付着した塵や埃が、清掃体３のブラシ部材３ｄにより剥ぎ取られるとともに、スポンジ３ｃにより拭い取られる。この際、清掃体３は上記水または液体洗剤により、レールｒおよび溝ｍに固化してこびり付いた塵や埃が液化させることになる。
【００４２】
さらに、レールｒを清掃する際に、吸水性を有する板状弾性部材からなる清掃体３を面外方向にＵ字状に折曲させるとともに、互いの外面を当接させて取付部４に並列に配置したことにより、当該レールｒを清掃体３の隣接面に挿入することにより、当該清掃体３が弾性変形し、レールｒをしっかりと挟持して、当該レールｒの両側面を同時に清掃することになる。
【００４３】
また、溝ｍの角隅部などに、塵や埃が固化してこびり付き、清掃体３では取り除くことが出来ない場合には、接続部材５の溝部５ｄに収納されているヘラ部材７を、その基端部７ａを支点に回動させて、清掃ヘッド２から清掃体３側の外方に突出させる。そして、ヘラ部材７を指で押さえながら、先端部７ｂを溝ｍの上記角隅部に当接させて、固化してこびり付いた塵や埃を当該角隅部から剥離させる。
【００４４】
そして、上記角隅部の清掃が全て終了したら、ヘラ部材７を回動させて、接続部材５の溝部５ｄに収納する。なお、ヘラ部材７によって、溝ｍの角隅部から剥離した塵や埃は、清掃体３により拭い取るか、また掃除機などにより吸引して取り除く。
【００４５】
さらに、サッシｓのレールｒおよび溝ｍの清掃が終了したら、清掃具１を洗浄する。その際、清掃ヘッド２に取り付けられた清掃体３に付着した塵や埃、液体洗剤などを水洗いして洗浄する。
【００４６】
また、把持部６内に残った水や液体洗剤を処分して綺麗に洗浄するとともに、清掃ヘッド２の表面２ａ側および接続部材５の内部、ヘラ部材７などを綺麗に洗浄する。また、保管などの際には、清掃ヘッド２に清掃体３および把持部６を取り付けた状態まま、当該把持部６の底部６ｄ側に設けられた吊下げ部６ｃの貫通孔６ｅをフックなどに引っ掛けて吊るす。
【００４７】
上述の実施形態による清掃具１によれば、清掃ヘッド２が表裏面２ａ、２ｂに貫通する孔部１０を有しているとともに、複数の清掃体３が各々吸水性を有する板状弾性部材を面外方向にＵ字状に折曲させ、かつ互いの外面を当接させて並列に配設して、各々の基端部を清掃ヘッド２の取付部４に取り付けているとともに、把持部６が有底円筒状に形成され、かつその開口部６ａの内部を孔部１０に連通するように裏面２ｂに取り付けているため、把持部６に液体を充填して、当該液体を開口部６ａから孔部１０を介して、清掃体３に浸透させることにより、サッシｓのレールｒおよび溝ｍに固化してこびり付いた塵や埃を液化させて、清掃体３により取り除くことができる。これにより、汚れやすいサッシｓのレールｒおよび溝ｍを簡便に清掃することができる。
【００４８】
また、各々吸水性を有する板状弾性部材を面外方向にＵ字状に折曲させた複数の清掃体３を互いの外面が当接するように並列に配設し、かつ各々の基端部を清掃ヘッド２の取付部４ａに取り付けているため、清掃体３の隣接面間に、サッシｓのレールｒを挿入することにより、複数の清掃体３が弾性変形して、当該レールｒを確実に挟持することができるとともに、複数の清掃体３の先端がサッシｓの溝ｍに当接させることができる。この結果、サッシｓのレールｒおよび溝ｍに沿って、清掃体３を擦ることにより、サッシｓのレールｒおよび溝ｍを同時に清掃することができる。
【００４９】
そして、支持部材８の孔部１０と把持部６の開口部６ａの内部との間に、当該把持部６に充填された水または液体洗剤の流出を制限する制御部材９が設けられているため、把持部６内に充填された水または液体洗剤が、清掃体３に浸透する際に、大量の当該水または液体洗剤が清掃体３側に流出してしまうことを防ぐことができる。これにより、上記水または液体洗剤がサッシｓの溝ｍ内に溜まってしまうことを防ぎ、余分な上記水または液体洗剤を清掃後に、溝ｍ内から取り除く手間を省くことができる。
【００５０】
さらに、清掃ヘッド２に、内部が支持部材８の孔部１０に連通された接続部材５が、裏面２ｂに設けられているとともに、当該接続部材５の先端部５ａに、把持部６の開口部６ａが螺合されているため、把持部６を清掃ヘッド２に対して傾斜して取り付けることができるとともに、当該接続部材５内に把持部６内に充填した水または液体洗剤を一旦貯留することにより、清掃体３への当該水または液体洗剤の浸透を抑制することができ、かつ当該把持部６内に上記水または液体洗剤を充填しても、接続部材５と把持部６との接続部分において、当該水または液体洗剤の漏れを確実に防ぐことができる。
【００５１】
また、接続部材５に、清掃ヘッド２側から清掃体３側に突出可能なヘラ部材７が回動自在に収納されているため、サッシｓの溝ｍの角隅部に固化してこびり付いた塵や埃を除去することができるとともに、清掃体３での清掃の際に邪魔にならない。これにより、清掃体３では除去しづらい溝ｍの角隅部も簡便に清掃することができる。
【００５２】
そして、清掃体３が、スポンジ３ｃとブラシ部材３ｄの組み合わせによって形成されているため、当該清掃体３によってレールｒおよび溝ｍを擦ることにより、固化してこびり付いた塵や埃を当該ブラシ部材で掻き取り、掻き取った塵や埃を上記スポンジで拭い取ることができ、さらに容易にサッシｓのレールｒおよび溝ｍの汚れを落とすことができる。
【００５３】
なお、上記実施の形態において、把持部６を接続部材５の先端部側に、螺合させて着脱自在に取り付ける場合のみ説明したが、これに限定されるものでなく、例えば、接続部分にゴムやシリコーンなどの軟質材を介在させて、付勢部材によって当該接続部を密着させても対応可能である。
【００５４】
また、接続部材５の先端部５ａの内周面に螺設された雌ネジ５ｂは、把持部６の開口部６ａの外周面に螺設された雄ネジ６ｂと螺合させる場合のみ説明したが、これに限定されるものでなく、例えば、この雌ネジ５ｂを規格が統一されているペットボトルの開口部の外周面に螺設された雄ネジに螺合するように形成し、把持部６に代えて、ペットボトルを装着しても対応可能である。なお、この場合、把持部６の開口部６ａの外周面に螺設された雄ネジ６ｂも上記ペットボトルの開口部の外周面に螺設された雄ネジと同一の形状に形成することになる。
【００５５】
さらに、清掃体３が取り付けられている支持部材８を清掃ヘッド２に一体的に固着する場合のみ説明したが、これに限定されるものでなく、例えば、清掃体３の交換をために、掃ヘッド２の取付部４から支持部材８を着脱自在に取り付けても対応可能である。
【産業上の利用可能性】
【００５６】
サッシなどのレールおよび溝を清掃する際に利用することができる。
【符号の説明】
【００５７】
１  清掃具
２  清掃ヘッド  
２ａ  表面  
２ｂ  裏面
３  清掃体
３ｃ  スポンジ  
３ｄ  ブラシ部材
４  取付部  
４ａ  開口
４ｂ  係止孔
５  接続部材  
５ａ  先端部  
５ｂ  雌ネジ
６  把持部  
６ａ  開口部  
６ｂ  雄ネジ
７  ヘラ部材  
７ａ  基端部  
７ｂ  先端部
８  支持部材  
８ａ  天板部  
８ｂ  側壁部
８ｃ  取付孔
８ｄ  係止突起
９  制御部材
１０  孔部
１１  ピン
【図１】
2014079404.tif 000003
【図２】
2014079404.tif 000004
【図３】
2014079404.tif 000005
【図４】
2014079404.tif 000006
【図５】
2014079404.tif 000007
【図６】
2014079404.tif 000008
【図７】
2014079404.tif 000009
【図８】
2014079404.tif 000010
【図９】
2014079404.tif 000011
【図１０】
2014079404.tif 000012